(57)【要約】【課題】正面視で３枚重ねにして開口部の横幅の略２／３を開口させることができ且つ全閉状態で段差を引き戸１枚分の段差にできる。【解決手段】第１レール１を走行する第１引き戸２と、第２レール３を走行する第２引き戸４と、第３レール５を走行する第３引き戸６とで構成された３枚引き戸装置１０である。平面視で第１レール１の長手方向と直交する方向を前後方向と定義するとき第１レール１と第２レール３とが平行で且つ平面視で第２レール３が第１レール１の前方に位置する。第３レール５を、平面視で第２レール３の長手方向の片側部分と一致する位置にある内側直線レール部７と、平面視で第２レール３の長手方向の他の片側部分の前方位置に平行に位置する外側直線レール部８と、内側直線レール部７と外側直線レール部８とを連通する傾斜レール部９とで構成する。【選択図】        図１
2005016065.tif 000002
【特許請求の範囲】
【請求項１】
第１レールを走行する第１引き戸と、第２レールを走行する第２引き戸と、第３レールを走行する第３引き戸とで構成された３枚引き戸装置であって、平面視で第１レールの長手方向と直交する方向を前後方向と定義するとき第１レールと第２レールとが平行で且つ平面視で第２レールが第１レールの前方に位置し、第３レールを、平面視で第２レールの長手方向の片側部分と一致する位置にある内側直線レール部と、平面視で第２レールの長手方向の他の片側部分の前方位置に平行に位置する外側直線レール部と、内側直線レール部と外側直線レール部とを連通する傾斜レール部とで構成し、第１レール、第２レール、第３レールの各一端部側に第１、第２、第３引き戸を移動した状態で正面視で第３引き戸の後方に第２引き戸が重なり且つ第２引き戸の後方に第１引き戸が重なり、第３引き戸を第３レールの内側直線レール部に位置させ且つ第２引き戸を第２レールの長手方向の他の片側部分に位置させ且つ第１引き戸を第１レールの長手方向の略中間に位置させた状態で３枚引き戸装置が全閉状態と成ることを特徴とする３枚引き戸装置。
【請求項２】
第２レールと第３レールとが上下方向にずれて位置しており、第３レールの内側直線レール部が第２レールの長手方向の片側部分の上方に隙間を介して配置し、第３引き戸に第３レールを走行するランナを取付けるランナ取付け部材を設け、ランナ取付け部材に第２レールとの干渉を避けるための干渉防止用凹部を設けて成ることを特徴とする請求項１記載の３枚引き戸装置。
【請求項３】
第２レールの片側部分が第３レールの内側直線レール部を兼用していることを特徴とする請求項１記載の３枚引き戸装置。
【発明の詳細な説明】
【０００１】
【発明の属する技術分野】
本発明は、３枚の引き戸をレールに沿って走行自在とした３枚引き戸装置に関するものである。
【０００２】
【従来の技術】
従来から開口部を開閉するための引き戸として引き戸を３枚使用した３枚引き戸装置が知られている。（例えば、特許文献１参照）
上記特許文献１に示されるような従来例から公知の３枚引き戸は、図１１に示すように、互いに平行な直線レール３０ａ、３０ｂ、３０ｃを平面視で前後方向に３列並設し、この３列の直線レール３０ａ、３０ｂ、３０ｃにそれぞれ開口部の略１／３の幅の引き戸３１ａ、３１ｂ、３１ｃを走行自在に取付けたものである。そして、図１１（ａ）に示すように、直線レール３０ａ、３０ｂ、３０ｃの長手方向の片側部分に３枚の引き戸３１ａ、３１ｂ、３１ｃを移動させることで、正面から見て３枚の引き戸３１ａ、３１ｂ、３１ｃが重なり、開口部３２の横幅の略２／３を開口できるようにしている。また、図１１（ｂ）のように、３枚の引き戸３１ａ、３１ｂ、３１ｃのうち１枚目の引き戸３１ａを直線レール３０ａの長手方向の片側部分に位置させ、２枚目の引き戸３１ｂを直線レール３０ｂの長手方向の略中間部分に位置させ、３枚目の引き戸３１ｃを直線レール３０ｃの長手方向の他の片側部分に位置させることで開口部３２を全閉するようにしている。
【０００３】
ところが、上記のような従来の３枚引き戸装置にあっては、全閉状態において、最も前側に位置する１枚目の引き戸３１ａと最も後側に位置する３枚目の引き戸３１ｃとの間には図１１（ｂ）において前後方向に寸法ａで示す段差が生じ、この図１１（ｂ）における寸法ａの段差は引き戸２枚分以上の段差であって、外観がきわめて悪いという問題がある。
【０００４】
そこで、図１２のように２本の直線レール３０ａ、３０ｂのうち、１本の直線レール３０ａに１枚目の引き戸３１ａと２枚目の引き戸３１ｂとを走行自在とし、更にもう１本の直線レール３０ｂに３枚目の引き戸３１ｃを走行自在とすることが考えられるが、このものにおいては、図１２（ｂ）のように閉じた状態では段差が寸法ｂとなって引き戸１枚分の段差となって外観がよいが、このものは図１２（ａ）のようにしか開くことができず、正面視で３枚重ねにできず、開口部の横幅の略２／３を開口させることができず、開口部３２の中間部分は常に閉じた状態で実際に使用することなどできない。
【０００５】
【特許文献１】
特開２０００−２８２７５３号公報
【０００６】
【発明が解決しようとする課題】
本発明は上記の点に鑑みてなされたものであり、正面視で３枚重ねにして開口部の横幅の略２／３を開口させることができ且つ全閉状態で段差を引き戸１枚分の段差にできて外観が良くなる３枚引き戸装置を提供することを課題とするものである。
【０００７】
【課題を解決するための手段】
上記課題を解決するために本発明に係る３枚引き戸装置は、第１レール１を走行する第１引き戸２と、第２レール３を走行する第２引き戸４と、第３レール５を走行する第３引き戸６とで構成された３枚引き戸装置１０であって、平面視で第１レール１の長手方向と直交する方向を前後方向と定義するとき第１レール１と第２レール３とが平行で且つ平面視で第２レール３が第１レール１の前方に位置し、第３レール５を、平面視で第２レール３の長手方向の片側部分と一致する位置にある内側直線レール部７と、平面視で第２レール３の長手方向の他の片側部分の前方位置に平行に位置する外側直線レール部８と、内側直線レール部７と外側直線レール部８とを連通する傾斜レール部９とで構成し、第１レール１、第２レール３、第３レール５の各一端部側に第１、第２、第３引き戸２、４、６を移動した状態で正面視で第３引き戸６の後方に第２引き戸４が重なり且つ第２引き戸４の後方に第１引き戸２が重なり、第３引き戸６を第３レール５の内側直線レール部７に位置させ且つ第２引き戸４を第２レール３の長手方向の他の片側部分に位置させ且つ第１引き戸２を第１レール１の長手方向の略中間に位置させた状態で３枚引き戸装置１０が全閉状態と成ることを特徴とするものである。
【０００８】
このような構成となっているので、第１レール１、第２レール３、第３レール５の各一端部側に第１、第２、第３引き戸２、４、６を移動して第１、第２、第３引き戸２、４、６を正面視で重ねた状態とすることで、開口部１５の他方の片側の略１／３を閉じ且つ開口部１５の幅の残りの略２／３を開いた状態とすることができ、また、第３引き戸６を第３レール５の内側直線レール部７に位置させ且つ第２引き戸４を第２レール３の長手方向の他の片側部分に位置させ且つ第１引き戸２を第１レール１の長手方向の略中間に位置させたことで、開口部１５を全閉することができ、しかも、この全閉状態においては、第３引き戸６と第２引き戸４とは平面視で同一直線状に位置しているので、第２、第３引き戸４、６と第１引き戸２とは引き戸の１枚分の段差しか生じないものである。また、第３引き戸６を第３レール５の内側直線レール部７に位置させ且つ第２引き戸４を第２レール３の他の片側部分から離れる方向に移動して第３引き戸６の側端部に近接させ、第１引き戸２を第１レール１の他側部分側から離れる方向に移動することで、開口部１５の他方の片側の略１／３を開くことが可能となるものである。このように、本発明においては、簡単な構成で正面視で３枚重ねにして開口部の横幅の略２／３を開口させることができ且つ全閉状態で段差を引き戸１枚分の段差にできて外観が良くなるものである。
【０００９】
また、第２レール３と第３レール５とが上下方向にずれて位置しており、第３レール５の内側直線レール部７が第２レール３の長手方向の片側部分の上方に隙間１１を介して配置し、第３引き戸６に第３レール５を走行するランナ１２を取付けるランナ取付け部材１３を設け、ランナ取付け部材１３に第２レール３との干渉を避けるための干渉防止用凹部１４を設けることが好ましい。
【００１０】
このような構成とすることで、簡単な構成で第３引き戸５を第３レール５の内側直線レール部７が平面視で第２レール３の長手方向の片側部分と一致する位置にあるにもかかわらず、簡単な構成で第３レール５に沿って第３引き戸６を走行させる際、第３引き戸６のランナ取付け部材１３が第２レール３に干渉することなくスムーズに走行できるものである。
【００１１】
また、第２レール３の片側部分が第３レール５の内側直線レール部７を兼用していることが好ましい。
【００１２】
このように、第２レール３の片側部分が第３レール５の内側直線レール部７を兼用していることで、構造が簡略化するものであり、これにより、簡単な構成で、正面視で３枚重ねにして開口部１５の横幅の略２／３を開口させることができ且つ全閉状態で段差を引き戸１枚分の段差にできて外観が良い３枚引き戸装置１０を提供できるものである。
【００１３】
【発明の実施の形態】
以下、本発明を添付図面に示す実施形態に基づいて説明する。
【００１４】
３枚引き戸装置１０は、第１レール１を走行する第１引き戸２と、第２レール３を走行する第２引き戸４と、第３レール５を走行する第３引き戸６とで構成してあり、この３枚引き戸装置１０はクローゼット、押し入れ、物入れ等の建物や収納キャビネットなどの家具の収納空所１６の開口部１５に取付けられ、第１、第２、第３引き戸２、４、６を第１レール１、第２レール３、第３レール５を移動させて、開口部１５の一方の片側を略１／３開放したり、他方の片側を略１／３開放したり、開口部１５の略２／３を開放したりすることができるようになっている。
【００１５】
添付図面に示す実施形態においては、図４乃至図６に示すように、第１レール１としては第１上レール１ａと第１下レール１ｂとがあり、また、第２レール２としては第２上レール３ａと第２下レール３ｂとがあり、また、第３レール５としては第３上レール５ａと第３下レール５ｂとがある。そして、第１上レール１ａ、第２上レール３ａ、第３上レール５ａはいずれも開口部１５の上枠１７の下面に直接又は取付け金具１８を介して取付けてある。また、第１下レール１ｂ、第２下レール３ｂ、第３下レール５ｂはいずれも開口部１５の下枠１９の上面に埋設して取付けてある。
【００１６】
平面視で第１レール１の長手方向と直交する方向を前後方向と定義するとき、図４乃至図６に示すように、上枠１７の下面の後部に下方が開口した断面リップ付き逆Ｕ字状をした直線状の第１上レール１ａの上面を固着具２１により固着してある。この場合、Ｚ字状をした取付け金具１８の上横片１８ａを第１上レール１ａと上枠１７との間に介在させ上横片１８ａも固着具２１により上枠１７に固着してある。
【００１７】
取付け金具１８の縦片１８ｂは第１上レール１ａの前面に当接した状態で下方に垂下し、下横片１８ｃは第１上レール１ａよりも少し下方位置において平面視で第１上レール１ａよりも前方に向けて突出している。この取付け金具１８の下横片１８ｃの下面には下方が開口した断面リップ付き逆Ｕ字状をした直線状の第２上レール３ａの上面が固着具２２により固着してあり、第２上レール３ａは第１上レール１ａの前方に平行に位置し且つ第１上レール１ａよりも下方に位置している。
【００１８】
第３上レール５ａは下方が開口した断面リップ付き逆Ｕ字状をしており、図９に示すように長手方向の片側部分（長手方向の一方側の略１／３の部分）が内側直線レール部７となり、長手方向の他の片側部分（長手方向の他方側の略１／３の部分）が外側直線レール部８となり、長手方向の中間部分（長手方向の中間の略１／３の部分）が内側直線レール部７と外側直線レール部８とを連通一体化する傾斜レール部９となったもので、平面視で外側直線レール部８が内側直線レール部７よりも該第３上レール５ａの前後幅分だけ前方にずれている。この第３上レール５ａは図４乃至図６に示すように上枠１７の下面の前後方向の中間部及び前部に固着具２１により固着してある。すなわち、第３上レール５ａの長手方向の片側部分の内側直線レール部７を上枠１７の下面の前後方向の略中間部に位置させ（つまり内側直線レール部７を第１上レール１ａの前面に取付け金具１８の縦片１８ｂを介して隣接するように位置させ）、第３上レール５ａの長手方向の他の片側部分である外側直線レール部８を上枠１７下面の前後方向の前部に位置させてある。
【００１９】
これにより第３上レール５ａの長手方向の片側部分の内側直線レール部７が第２上レール３ａの長手方向の片側部分の真上に隙間を介して位置し、平面視において内側直線レール部７が第２上レール３ａの長手方向の片側部分と一致して重複する位置関係となっている。
【００２０】
下枠１９の上面の後部には直線状をした第１下レール１ｂが埋設してあり、この第１下レール１ｂは上方が開口したレール溝を有し、また、前述の第１上レール１ａの下方に位置している。
【００２１】
下枠１９の上面の前後方向の中間部から前部にかけて図１０に示すような共用レール体２３が埋設してある。この共用レール体２３には第２下レール３ｂと第３下レール５ｂとが形成してある。共用レール体２３は長手方向の一方の片側部分（長手方向の一方側の略１／３の部分）が直線状をした共通レール部２３ａとなり、共用レール体２３の長手方向の他方の片側部分（長手方向の他方側の略１／３の部分）が、上記共通レール部２３ａの延長線上に位置する直線状をした内レール部２３ｂと、内レール部２３ｂの前に並設した直線状をした外レール部２３ｃとよりなり、更に、共用レール体２３の長手方向の中間部分（長手方向の中間の略１／３の部分）が一端部が共通レール部２３ａに連続し且つ他端部がそれぞれ内レール部２３ｂ、外レール部２３ｃに連続するように、共通レール部２３ａから内、外レール部２３ｂ、２３ｃ側に行くほど平面視でレール溝部の幅が幅広となった中間レール部２３ｄとで構成してある。
【００２２】
そして、共用レール体２３の共通レール部２３ａと中間レール部２３ｄの後部と内レール部２３ｂとが一直線状に連続していて第２下レール３ｂを構成しており、また、共通レール部２３ａと中間レール部２３ｄの前部と外レール部２３ｃとで第３下レール５ｂを構成している。つまり、前述のように第３下レール５ｂ（第３レール３）は長手方向の片側部分（長手方向の一方側の略１／３の部分）が内側直線レール部７となり、長手方向の他の片側部分（長手方向の他方側の略１／３の部分）が外側直線レール部８となり、長手方向の中間部分（長手方向の中間の略１／３の部分）が内側直線レール部７と外側直線レール部８とを連通一体化する傾斜レール部９となっているが、この共用レール体２３の場合、共通レール部２３ａが第２下レール３ｂの長手方向の片側部分と第３下レール５ｂの内側直線レール部７とを兼用しており、共用レール体２３の中間レール部２３ｄの前部が傾斜レール部９となり、共用レール体２３の外レール部２３ｃが外側直線レール部８となっている。このような第２下レール３ｂは第２上レール３ａの下方に位置し、第３下レール５ｂは第３上レール５ａの下方に位置している。
【００２３】
第１、第２、第３引き戸２、４、６はそれぞれ横幅が開口部１５の開口幅の略１／３（実施例では略１／３より少し長い）となっており、この第１、第２、第３引き戸２、４、６にはそれぞれランナ１２（上ランナ１２ａ、下ランナ１２ｂ）が設けてあり、第１引き戸２の上ランナ１２ａを第１上レール１ａに走行自在に吊下げてあると共に第１引き戸２の下ランナ１２ｂを第１下レール１ｂに走行自在に挿入してあり、第２引き戸４の上ランナ１２ａを第２上レール３ａに走行自在に吊下げてあると共に第２引き戸４の下ランナ１２ｂを第２下レール３ｂに走行自在に挿入してあり、第３引き戸６の上ランナ１２ａを第３上レール５ａに走行自在に吊下げてあると共に第３引き戸６の下ランナ１２ｂを第３下レール５ｂに走行自在に挿入してある。
【００２４】
第１引き戸２に上ランナ１２ａを取付けているランナ取付け部材１３及び第３引き戸６に上ランナ１２ａを取付けているランナ取付け部材１３は上下長さが第２上レール３ａの上下長さよりも少し長く、第１、第２、第３引き戸２、４、６を上記のように吊下げた状態で第１、第２、第３引き戸２、４、６の各上端が同じ高さとなるようになっている。また、第３引き戸６におけるランナ取付け部材１３は第２レール３（実施形態では第２上レール３ａ）との干渉を避けるための干渉防止用凹部１４を設けてあり、添付図面に示す実施形態では第３引き戸６におけるランナ取付け部材１３は側方に開口する干渉防止用凹部１４を有する断面コ字状をしていて第３引き戸６を内側直線レール部７に移動した場合、図４のようにランナ取付け部材１３の干渉防止用凹部１４が前方側から第２上レール３ａに遊嵌状態で被嵌して、ランナ取付け部材１３が第２上レール３ａに当たることなく走行できるものである。この時、断面コ字状をしたランナ取付け部材１３の上横片は第２上レール３ａの上面と第３上レール５ａの内側直線レール部８の下面との間の隙間に位置することになる。
【００２５】
上枠１７の前端部には長手方向の全長にわたって下方に垂下した覆い用垂下部２５が設けてあり、覆い用垂下部２５の下端は第１、第２、第３引き戸２、４、６の各上端よりも下位置となっており、これにより第１、第２、第３引き戸２、４、６の上端と第１、第２、第３上レール１ａ、３ａ、５ａとの間の隙間が開口部１５の前方側から見えないようになっている。
【００２６】
しかして、上記のような構成の３枚引き戸装置１０は、図２、図８のように、第３引き戸６を第３レール５の他の片側部分である外側レール部８に移動し、更に、第１、第２引き戸２、４もそれぞれ第１、第２レール１、３の他の片側部分に移動して、第１、第２、第３引き戸２、４、６を正面視で重ねた状態として正面から開口部１５を見た場合図７に示すように第３引き戸６のみが見える状態にすることで、開口部１５の他方の片側の略１／３を閉じ且つ開口部１５の幅の残りの略２／３を開いた状態とすることができるものである。
【００２７】
また、図１、図７のように、第３引き戸６を第３レール５の内側直線レール部７に位置させ且つ第２引き戸４を第２レール３の長手方向の他の片側部分に位置させ且つ第１引き戸２を第１レール１の長手方向の略中間に位置させたことで、開口部１５を全閉することができる。
【００２８】
この全閉状態においては、第３引き戸６と第２引き戸４とは平面視で同一直線状に位置しているので、第２、第３引き戸４、６と第１引き戸２とは引き戸の１枚分の段差しか生じないものである。つまり、３枚引き戸を全閉した状態でありながら、前後方向における全体の段差は２枚引き戸を全閉した状態と同じ引き戸の１枚分の段差しか生じなくて外観が良くなるものである。
【００２９】
また、図３に示すように、第３引き戸６を第３レール５の内側直線レール部７に位置させ且つ第２引き戸４を第２レール３の他の片側部分から離れる方向に移動して第３引き戸６の側端部に近接させ、第１引き戸２を第１レール１の他側部分側から離れる方向に移動することで、開口部１５の他方の片側の略１／３を開くことが可能となるものである。
【００３０】
ところで、添付図面に示すように、クローゼット、押し入れ、物入れ等の建物や収納キャビネットなどの家具の両側壁４０間の収納空所１６内の外側直線レール部８に対応する幅方向の１／３の空間部分２６と幅方向の他の２／３の空間部分２７とを仕切るための仕切り部２８を設け、この仕切り部２８で仕切られた上記空間部分２６、２７のうち、１／３の空間部分２６に掃除用具などの通常見せたくない物を収納し、２／３の空間部分２７に図８に示すように通常外部に露出させて作業をする洗濯機２９ａ、洗濯籠２９ｂ、洗剤２９ｃ、洗濯物２９ｄ等のランドリー用具２９を収納するようにしてもよい。これにより、通常は３枚引き戸装置１０を図７のように開口部１５が全閉状態とし外観を良くし、ランドリー作業等を行う場合には図２、図８のように第１、第２、第３引き戸２、４、６を正面視で重ねた状態として開口部１５の２／３の空間部分２７に対応する部分が開口してランドリー用具２９を露出させた状態でランドリー作業ができるものであり、この時、掃除用具等の通常見せたくない物を入れた１／３の空間部分２６を閉じると共に仕切り部２８があるので掃除用具等の通常見せたくない物を入れた１／３の空間部分２６が外部から見えないようにした状態でランドリー作業ができるものである。
【００３１】
一方、掃除用具等の外部に見せたくないものを使用する場合、図３のように第３引き戸６を第３レール５の内側直線レール部７に位置させ且つ第２引き戸４を第２レール３の他の片側部分から離れる方向に移動して第３引き戸６の側端部に近接させ、第１引き戸２を第１レール１の他側部分側から離れる方向に移動して、１／３の空間部分２６を開いて中に収納している掃除用具等を取り出すものである。
【００３２】
なお、添付図面に示す実施形態においては、第２上レール３ａと第３上レール５ａとを別体とし、取付け位置を上下方向にずらして取付けた例を示したが、第２上レール３ａと第３上レール５ａとを一体の共通レールで構成し、第２上レール３ａの片側部分が第３上レール５ａの内側直線レール部７を兼用するようにしてもよいものである。
【００３３】
また、本発明の３枚引き戸装置１０は部屋を間仕切りする場合の間仕切り引き戸装置としても用いることができる。
【００３４】
【発明の効果】
上記のように本発明にあっては、簡単な構成で正面視で３枚重ねにして開口部の横幅の略２／３を開口させることができ且つ全閉状態で段差を引き戸１枚分の段差にできて外観が良くなる３枚引き戸装置を提供できるものである。
【図面の簡単な説明】
【図１】本発明の３枚引き戸装置の全閉状態の平断面図である。
【図２】同上の第１、第２、第３の引き戸を３枚重ねて開口部を２／３開いた状態の平断面図である。
【図３】同上の開口部の他の片側を１／３開いた状態の平断面図である。
【図４】同上の図１のＸ−Ｘ線の縦断面図である。
【図５】同上の図１のＹ−Ｙ線の縦断面図である。
【図６】同上の図２のＺ−Ｚ線の縦断面図である。
【図７】同上の全閉状態の前方から見た全体斜視図である。
【図８】同上の  同上の第１、第２、第３の引き戸を３枚重ねて開口部を２／３開いた状態の前方から見た全体斜視図である。
【図９】同上の上レールの平面図である。
【図１０】同上の下レールの平面図である。
【図１１】従来例の３枚引き戸装置を示し、（ａ）は全閉状態の平断面図であり、（ｂ）は開状態の平断面図である。
【図１２】従来例の他の３枚引き戸装置を示し、（ａ）は全閉状態の平断面図であり、（ｂ）は開状態の平断面図である。
【符号の説明】
１  第１レール
２  第１引き戸
３  第２レール
４  第２引き戸
５  第３レール
６  第３引き戸
７  内側直線レール部
８  外側直線レール部
９  傾斜レール部
１０  ３枚引き戸装置
１１  隙間
１２  ランナ
１３  ランナ取付け部材
１４  干渉防止用凹部
【図１】
2005016065.tif 000003
【図２】
2005016065.tif 000004
【図３】
2005016065.tif 000005
【図４】
2005016065.tif 000006
【図５】
2005016065.tif 000007
【図６】
2005016065.tif 000008
【図７】
2005016065.tif 000009
【図８】
2005016065.tif 000010
【図９】
2005016065.tif 000011
【図１０】
2005016065.tif 000012
【図１１】
2005016065.tif 000013
【図１２】
2005016065.tif 000014